(57)【特許請求の範囲】
【請求項１】
天井埋込形の室内機本体を天井に吊り下げ、この室内機本体の下面に、後工程で張られる天井板よりも下方に延びる、パネル取り付け孔の開口幅を指し示すゲージを取り付け、このゲージで指し示される開口幅を残して天井板を張り、このゲージを除去した後、パネル取り付け孔にパネルを取り付ける室内機及びパネルの据付装置であって、
前記室内機本体の梱包材は、前記ゲージを形成する段ボール製の一対の梱包パッドを備え、
この梱包パッドは前記室内機の短手側の端面を覆うものであり、室内機本体の短手側の端面に沿って延びる端面パッド部と、この端面パッド部の両端に一体的に連なり、室内機本体の長手側の側面に沿って延びる一対の側面パッド部とを備え、端面パッド部を室内機本体の下面に固定した場合、一対の側面バッド部が、パネル取り付け孔の開口幅を指し示すことを特徴とする室内機及びパネルの据付装置。
【請求項２】
前記梱包パッドが一枚の段ボール紙を折り曲げて形成されていることを特徴とする請求項１記載の室内機及びパネルの据付装置。
【請求項３】
前記ゲージには天井板に対する前記室内機本体の高さ位置を指し示すレベルマークが形成されていることを特徴とする請求項１又は２記載の室内機及びパネルの据付装置。
【請求項４】
前記側面パッド部は、前記端面パッド部を室内機本体の下面に固定した場合、後工程で張られる天井板よりも下方に延び出す延長部を備え、
前記レベルマークは前記延長部に形成されていることを特徴とする請求項３記載の室内機及びパネルの据付装置。
【発明の詳細な説明】
【０００１】
【発明の属する技術分野】
本発明は、天井埋込形の室内機本体を備えた室内機及びパネルの据付方法及び据付装置に関する。
【０００２】
【従来の技術】
一般に、天井埋込形空気調和機にあっては、室内機本体を、予め、天井に吊り下げ、この室内機本体の下方位置にパネル取り付け孔を形成しながら、室内機本体を隠すように天井板を張り、これを張り終わった後、パネル取り付け孔にパネルを取り付ける作業が行われている。
【０００３】
【発明が解決しようとする課題】
しかし、室内機本体を吊り下げた後、その下方位置にパネル取り付け孔を形成しながら、天井板を張る作業は困難である。
【０００４】
そこで、本発明の目的は、上述した従来の技術が有する問題点を解消し、室内機本体を吊り下げた後、室内機本体の下方位置にパネル取り付け孔を形成しながら、簡単に天井板を張ることができる、室内機及びパネルの据付方法及び据付装置を提供することにある。
【０００５】
【課題を解決するための手段】
請求項１記載の発明は、天井埋込形の室内機本体を天井に吊り下げ、この室内機本体の下面に、後工程で張られる天井板よりも下方に延びる、パネル取り付け孔の開口幅を指し示すゲージを取り付け、このゲージで指し示される開口幅を残して天井板を張り、このゲージを除去した後、パネル取り付け孔にパネルを取り付ける室内機及びパネルの据付装置であって、前記室内機本体の梱包材は、前記ゲージを形成する段ボール製の一対の梱包パッドを備え、この梱包パッドは前記室内機の短手側の端面を覆うものであり、室内機本体の短手側の端面に沿って延びる端面パッド部と、この端面パッド部の両端に一体的に連なり、室内機本体の長手側の側面に沿って延びる一対の側面パッド部とを備え、端面パッド部を室内機本体の下面に固定した場合、一対の側面バッド部が、パネル取り付け孔の開口幅を指し示すことを特徴とする。
【０００９】
請求項２記載の発明は、請求項１記載のものにおいて、前記梱包パッドが一枚の段ボール紙を折り曲げて形成されていることを特徴とする。
【００１０】
請求項３記載の発明は、請求項２記載のものにおいて、前記ゲージには天井板に対する前記室内機本体の高さ位置を指し示すレベルマークが形成されているものである。
請求項４記載の発明は、請求項３記載のものにおいて、前記側面パッド部は、前記端面パッド部を室内機本体の下面に固定した場合、後工程で張られる天井板よりも下方に延び出す延長部を備え、前記レベルマークは前記延長部に形成されているものである。
【００１１】
【発明の実施の形態】
以下、本発明の一実施の形態を添付図面に従って説明する。
【００１２】
図１は、２つの空気吹出し口を備えた、一般的に、いわゆる２方向カセットと呼称される天井埋込型空気調和機における室内機の梱包装置を示している。図１において、１は箱形の室内機本体を示し、この室内機本体１には、送風機３、電装箱５、発泡スチロール製のドレンパン７、図示を省略した重量の重い熱交換器、ドレンポンプ等の各種機器類が収納されている。
【００１３】
この室内機本体１は、被調和室の天井に複数本の吊りボルト（図示せず）を介して吊り下げられるが、この場合、図１中での上方が室内側に向くように吊り下げられ、この室内機本体１の下側を向いた開口面には、図示を省略した化粧パネルが重ね合わせて取り付けられる。
【００１４】
本実施形態による室内機の梱包装置は、箱形の室内機本体１の底面（実際の天井設置の段階では天面となるが、説明の便宜上、以下、底面という。）１Ａを覆う段ボール製の底面材１１と、室内機本体１の天面（実際の天井設置の段階では下面となるが、説明の便宜上、以下、天面という。）１Ｂを覆う段ボール製の天面材１３と、室内機本体１の短手側の端面１Ｃを覆う段ボール製の一対の梱包パッド２１とを備えて構成されている。
【００１５】
この段ボール製の梱包パッド２１は、室内機本体１の短手側の端面１Ｃに沿って延びる端面パッド部２１Ａと、この端面パッド部２１Ａの両端に一体的に連なり、室内機本体１の長手側の側面１Ｄに沿って延びる一対の側面パッド部２１Ｂとを備えて構成されている。
【００１６】
そして、この側面パッド部２１Ｂは、長手側の側面１Ｄに接触する基部２１Ｃと、この基部２１Ｃに一体的に連なり、室内機１の短手側の端面１Ｃよりも外側に突出した延長部２１Ｄとを備えて構成され、この延長部２１Ｄの上部には把手孔２１Ｅが形成されている。
【００１７】
この側面パッド部２１Ｂ、及び端面パッド部２１Ａは、それぞれ段ボール製であり、この段ボールの目は、図示のように略水平に延出しており、いわゆる横目段ボール紙で形成されている。
【００１８】
この梱包パッド２１は、一枚の段ボール紙を折り曲げて形成されており、図示の例では、端面パッド部２１Ａと、側面パッド部２１Ｂの延長部２１Ｄとが、二重になるように折り曲げ形成されている。梱包パッド２１の強度を増すためであるが、これに限定されず、例えば梱包パッド２１のすべてを二重段ボールになるように折り曲げ形成してもよい。
【００１９】
室内機本体１の天面１Ｂには、室内機本体１の端面１Ｃから外側に張り出すように一対のフランジ（保持部）２３が取り付けられ、このフランジ２３には爪部２３Ａが形成されている。そして、室内機本体１の端面１Ｃに梱包パッド２１を取り付ける場合、フランジ２３の爪部２３Ａの内側に、梱包パッド２１の端面パッド部２１Ａの上縁部が挿入される。
【００２０】
また、側面パッド部２１Ｂの基部２１Ｃの下面隅部には、略曲線状の切り欠き部２１Ｆが形成されている。
【００２１】
この室内機本体１は以下の手順で梱包される。
【００２２】
工場梱包ラインでは、まず、コンベア上に一枚の段ボール紙Ａが敷かれ、この段ボール紙Ａの四辺が、予め形成された折り線Ｂに沿って折り曲げられ、四個所をステープル打ちして箱形の底面材１１が形成される。この場合、段ボール紙Ａは梱包工程でパレット代わりに利用される。
【００２３】
つぎに、図２に示すように、室内機本体１の両端面１Ｃに、それぞれ梱包パッド２１が取り付けられる。
【００２４】
この場合、まず、フランジ２３の爪部２３Ａの内側に、端面パッド部２１Ａの上縁が挿入され、ついで、室内機本体１の両端面１Ｃに、端面パッド部２１Ａの全部が当接するまで、梱包パッド２１が図１中の矢印Ａで示す方向に回転されて取り付けられる。このとき、側面パッド部２１Ｂの基部２１Ｃの下面隅部には、略曲線状の切り欠き部２１Ｆが形成されているため、この梱包パッド２１の回転作業が容易になる。ついで、梱包パッド２１に形成された把手孔２１Ｅに手を掛け、それを持ち上げて、梱包パッド２１毎、箱形の底面材１１の中に挿入する。
【００２５】
このとき、ポリエチレン製の袋２５が、梱包パッド２１を覆うようにして、室内機本体１に被せられている。
【００２６】
上記構成では、フランジ２３の爪部２３Ａの内側に、端面パッド部２１Ａの上縁が挿入されているため、この梱包パッド２１に手を掛けて、室内機本体１を簡単に持ち上げることができる。
【００２７】
従って、梱包時には、箱形の底面材１１の中に室内機本体１を簡単に挿入することができるし、開梱時には、同様の作業によって箱形の底面材１１の中から室内機本体１を簡単に取り出すことができる。
【００２８】
最後に、室内機本体１の天面１Ｂに、室内機本体１と梱包パッド２１のすべてを覆うように段ボール製の箱形の天面材１３が被せられ、天面材１３と室内機本体１と底面材１１とが、高い強度を持つ室内機本体１の両端側で、結束用ＰＰバンド３１によって一体的に結束される。
【００２９】
上記の構成では、梱包完了時に、梱包パッド２１の把手孔２１Ｅの上縁部と、天面材１３の下縁部とが一致する。
【００３０】
これによると、把手孔２１Ｅに手を掛け、室内機を持ち上げる場合、把手孔２１Ｅの上縁部と、天面材１３の下縁部とが重なり合って、二重段ボールとなるため、把手の強度を増大させることができる。
【００３１】
図３は、室内機本体１及びパネルの据付方法を示す。
【００３２】
この天井埋込形の室内機本体１は、四本の吊りボルト３２を介して天井に吊り下げられている。そして、この室内機本体１の下面には、後工程で張られる天井板（図示せず）よりも下方に延びるように、パネル取り付け孔（図示せず）の開口幅を指し示すゲージ３３が取り付けられている。
【００３３】
このゲージ３３には、上述の梱包パッド２１が利用されている。一対の梱包パッド２１の端面パッド部２１Ａが、室内機本体１の下面の両端に、ねじ３５を介して固定される。すると、各端面パッド部２１Ａの両端に連なる一対の側面パッド部２１Ｂの延長部２１Ｄが、後工程で張られる天井板よりも下方に延び出して、パネル取り付け孔の開口幅を指し示す。
【００３４】
また、この延長部２１Ｄには、天井板に対する室内機本体１の高さ位置を指し示すレベルマーク３７が予め印字され、天井板が、レベルマーク３７上に位置するように、室内機本体１の高さ調整が行われる。
【００３５】
上記の開口幅は、幅Ｗ×長さＬであり、天井板が、延長部２１Ｄに沿って張られ、四本の吊りボルト３２の調整により、室内機本体１の高さ調整が行われた後、ねじ３５が外され、梱包パッド２１が取り除かれ、このパネル取り付け孔に、図示を省略したパネルが取り付けられる。
【００３６】
本実施形態では、室内機本体１の下面に、天井板（図示せず）よりも下方に延びる、パネル取り付け孔（図示せず）の開口幅を指し示すゲージ３３が取り付けられているため、室内機本体１を吊り下げた後、ゲージ３３に沿って天井板を張ればよいため、室内機本体１の下方位置にパネル取り付け孔を形成しながら、簡単に天井板を張ることができる。
【００３７】
また、このゲージ３３には、梱包パッド２１が利用され、一対の梱包パッド２１の端面パッド部２１Ａを、室内機本体１の下面の両端に、ねじ３５を介して固定するだけで、各端面パッド部２１Ａの両端に連なる一対の側面パッド部２１Ｂの延長部２１Ｄが、後工程で張られる天井板よりも下方に延び出して、パネル取り付け孔の開口幅を指し示すため、新たにゲージ３３を準備する必要がなく、梱包材を有効利用することができる。
【００３８】
以上、一実施の形態に基づいて本発明を説明したが、本発明は、これに限定されるものでないことは明らかである。
【００３９】
【発明の効果】
本発明では、室内機本体を吊り下げた後、室内機本体の下方位置にパネル取り付け孔を形成しながら、簡単に天井板を張ることができる。
【図面の簡単な説明】
【図１】本発明による室内機の梱包装置の一実施形態を示す分解斜視図である。
【図２】梱包手順を説明するための斜視図である。
【図３】室内機の据付手順を説明するための斜視図である。
【符号の説明】
１  室内機本体
１１  底面材
１３  天面材
２１  梱包パッド
２１Ａ  端面パッド部
２１Ｂ  側面パッド部
２１Ｄ  延長部
３１  吊りボルト
３３  ゲージ
３７  レベルマーク
【図１】
0003889637.tif 000002
【図２】
0003889637.tif 000003
【図３】
0003889637.tif 000004